(57)【要約】      （修正有）【課題】ドアー、屏風、立て看板等の自由に開閉する物品について開放状態の保持と解除が容易にでき開放保持装置に段差があると使用困難な用途に利用できる開放保持装置を提供する。【解決手段】同形の２片の棒を丁番等の回転可能な金具でその端部片側側面を１ミリメートル前後の僅かな隙間が開くように継ぎ合わせ両端付近に貫通穴のついた支持棒をあらかじめ設定した開放角度を実現するために開放保持対象体の最も適当な２点に取り付けることによって実現した。閉じる場合は支持棒の継ぎ目部分を支持棒が屈折する方向に軽く押すまたは引いて開放を解除する。開く場合は開放保持対象体を支持棒が伸びる限度まで開ききりその後閉じる方向に若干戻すか若しくは継ぎ目部分を軽く押すまたは引いて金具のない面側の空隙を落としこむことにより開放状態を固定する。【選択図】図１
0003162567.tif 000002
【実用新案登録請求の範囲】
【請求項１】
ドア、屏風、立て看板等の自由に開閉する物品に対して一時的に一定の開放角度を設定して開放状態を保持するために開放状態保持の対象となる２個の開放保持対象体を一定方向にのみ折れ曲がる支持棒で連結しその支持棒の伸張と屈折の運動によって開放状態の保持と解除を実現する開放保持装置において、同形の２片の棒の片側側面を回転可能な丁番等の金具によって継ぎ合わし、連結のための貫通穴をその両端部付近に各１個有する支持棒をその貫通穴にネジやビスを通して２個の開放保持対象体の開放角度を制御できる適当な２点に取り付け、閉じる場合は支持棒の継ぎ目を屈折する方向に押すまたは引くことによって開放保持状態の解除ができ、開く場合は開放保持対象体の開く動きに追従して支持棒が１本棒の形になるまで伸張し設定された開放角度に至るとその後開放保持対象体を閉じようとする力が働いても支持棒の継ぎ目部分で２片の端口断面が接触し干渉するため元に戻ることができず安定した開放状態の保持ができる開放保持装置。
【請求項２】
ドア、屏風、立て看板等の自由に開閉する物品に対して一時的に一定の開放角度を設定して開放状態を保持するために開放状態保持の対象となる２個の開放保持対象体を一定方向にのみ折れ曲がる支持棒で連結しその支持棒の伸張と屈折の運動によって開放状態の保持と解除を実現する開放保持装置において、同形の２片の棒の片側側面を回転可能な丁番等の金具によってそのつなぎ目に１ミリメートル前後の僅かな空隙を有するように継ぎ合わし、連結のための貫通穴をその両端部付近に各１個有する支持棒をその貫通穴にネジやビスを通して２個の開放保持対象体の開放角度を制御できる適当な２点に取り付け、閉じる場合は支持棒の継ぎ目を屈折する方向に押すまたは引くことによって開放保持状態の解除ができ、開く場合は開放保持対象体の開く動きに追従して支持棒が１本棒の形になるまで伸張し設定された開放角度に至るとその後開放保持対象体を閉じようとする力が働いても支持棒の継ぎ目部分で２片の端口断面が接触し干渉するため元に戻ることができず安定した開放状態の保持ができる開放保持装置。
【考案の詳細な説明】
【技術分野】
【０００１】本考案はドア、屏風、立て看板等の自由に開閉する物品について一時的に一定の開放角度を設定して開放状態を保持するための開放保持装置に関する。
【背景技術】
【０００２】従来この技術分野では、一方にフックを取り付けもう一方に受け具を取り付けるフック式のアオリ止め器具や２枚の金属板を回転可能な状態で連結したステーといわれる器具等が一般に使われている。しかしフック式のアオリ止めは取り付け取り外しの手間がかかる。ステーは金属板を重ねた構造なので金属板の厚み分の段差がありこの段差が取り付けする上で障害になり使用できない用途がある。
【考案が解決しようとする課題】
【０００３】本考案の課題は、ドア、屏風、立て看板等の自由に開閉する物品について一時的に一定の開放角度を設定して開放状態の保持と解除が容易にでき取り付けに際して開放保持装置に段差があると使用困難な用途に利用できる開放保持装置を提供することにある。
【考案が解決するための手段】
【０００４】ドア、屏風、立て看板等の自由に開閉する物品について一定の開放角度を設定して開放状態を保持するために一般的な方法は開放角度を形成する２個の本体、ドアであればドアと横枠材、屏風であれば２個の屏風の横枠材、立て看板であれば２個のパネルの縦枠材である開放保持対象体の適当な２点を適当な長さの棒である支持棒で連結しその開放角度を固定してしまう方法である。開放角度は２個の開放保持対象体がつくる角の頂点から支持棒の設置点までの間隔と支持棒の長さで決るため頂点から設置点までの間隔あるいは支持棒の長さを加減することにより開放角度を決めることができる。本考案もこの原理を利用している。ただし開放保持装置の機能として随時に開放の固定ができ容易に固定を解除できる必要がある。フック式のアオリ止めはフックを受け具にかければ固定され、外せば解除できる。ボックスの蓋の開閉等に用いられるステーの場合は蓋が開いて設定位置までくるとそこでステーが伸びきって止まり重力の働きによって開放状態が保持され、元に戻す場合は開いたときとは逆の方向に力を加えると閉じる。本考案は開放保持対象体があらかじめ設定された開放角度まで開くとそこで支持棒が伸びきって止まる点で上記ステーのしくみに似ている。相違点は支持棒の２片の棒の結合が重ね合わせでなく継ぎ合わせであることである。限度を越えて伸びる力は丁番等の結合金具によって阻止されることはステーのしくみと同じだが相違点は１度１本棒の形状になるとその後戻ろうとする力が加えられても結合部の２片の棒の端口断面が接触し干渉するため元に戻らないことである。
本考案の支持棒は同形の２片の棒を丁番等の回転可能な丁番等の金具で片側側面をつなぎ合わせたものである。継ぎ目である２片の棒の端口と端口との間には１ミリメートル前後の僅かな空隙が設けられている。そのため支持棒を１度伸ばして１本棒の形にしてから開放保持対象面を閉じる方向に動かし支持棒の両端から継ぎ目方向に力を加えるか若しくは継ぎ目部分を金具のついていない面から金具のついている面に向かって軽く押して金具のついていない面側の空隙を落とし込むと金具のついていない面側に軽く反った１本棒の形状で安定する。このそりは閉じる方向とは逆になるので支持棒が完全に通直な形状である場合に比して閉じようとする動きをより確実に阻止できる。支持棒の両端付近には開放保持対象体に連結するための貫通穴がある。この貫通穴にネジやビスを通してあらかじめ設定した２個の開放保持対象体の開放角度を保持するのに最も適当な２点に取り付ける。ネジやビスで支持棒を開放保持対象体に固定する方向を垂直とすると支持棒は水平方向へ回転できる（実施例１）。逆に開放保持対象体に固定する方向が水平なら支持棒は垂直方向に回転できる（実施例２）。使い方は開放保持対象体を閉じる場合は支持棒の継ぎ目部分の丁番等の金具の軸部を谷にして折れる方向に軽く押す。すると支持棒は継ぎ目から折れて端口断面同士の接触が断たれるので閉じる力に対して抗力を失う。そのため開放保持対象体を更に閉じる方向に力を加えると抵抗がないので容易に閉じることができる。支持棒は開放保持対象体の動きに追随して深く折れ曲がる。開く場合は開放保持対象体の開く動きに追従して支持棒は折れ曲がりの時とは逆の運動により伸びてゆき１本棒の形状になるまで伸びると支持棒の長さに制約されて開放保持対象体はそれ以上開けない。一方１度１本棒の形状となった支持棒がその後元に戻ろうとする力を受けた場合、その力は開放保持対象体から連結部を通して支持棒の外端部から継ぎ目方向への力として伝わるが支持棒の継ぎ目の２片の棒の端口断面が接触し干渉するため阻止されて元に戻れない。継ぎ目にある１ミリメートル前後の空隙については、支持棒の両端から継ぎ目方向の力を受けるか金具のない面側から金具のある面側に押されると金具のない面側の空隙は落ち込みそのため金具のない面側に軽く反る。この方向は閉じる方向とは逆になるのでロックがかかった状態となり開放状態は安定する。再び閉じる場合は支持棒の継ぎ目を折れ曲がる方向に押すまたは引くことにより開放ロック状態を解除する。
【考案の効果】
【０００５】このように本考案の開放・開脚保持装置は開放状態の固定と解除を支持棒の継ぎ目部分を押す若しくは引くという操作のみで出来るので従来品に比して容易である。また開放保持装置に段差があると使用が困難な用途に利用できる。
【図面の簡単な説明】
【０００６】
【図１】  支持棒の説明図である。
【図２】  屏風の横桟への開放保持装置の実施方法を示した説明図である。（実施例１）
【図３】  立看板の脚への開放保持装置の実施方法を示した説明図である。（実施例２）
【考案を実施するための形態】
【０００７】本考案の目的は開放状態の固定と解除が容易にでき、開放保持装置に段差があると使用が困難な場合でも利用できる開放保持装置を提供することにある。この目的に対して同形の２片の棒を丁番等の回転可能な金具でその端部片側側面を１ミリメートル前後の僅かな空隙が開くようにつなぎ合わせ両端付近に開放保持対象体に連結するための貫通穴をつけた支持棒をその貫通穴にネジやビスを通して２個の開放保持対象体の開放保持に最も適当な位置に取り付けることによって実現した。閉じる場合は支持棒の継ぎ目の丁番等の金具の軸部を谷にして折れる方向に軽く押すまたは引いてロックを外した後、開放保持対象体を閉じる。開く場合は開放保持対象体を支持棒が伸びる限度まで開ききりその後閉じる方向に若干力を加えるか支持棒の継ぎ目部分を丁番等の金具がついていない面からついている面に向かって軽く押して金具がついていない面側の空隙を落とし込むことにより開放状態が固定される。
【実施例１】
【０００８】本考案の実施例について図面を参照しながら説明する。
図１は開放状態の支持棒の正面図、左側面図、背面図および平面図である。支持棒の２片の棒は背面側で丁番によって結合され閉じる時は丁番の軸を谷にして折れ曲がる。丁番がついていない反対面は１ミリメートル前後の空隙が落ち込み、端口断面同士が接触するため支持棒は丁番がついていいない面側に軽く反り正面からみると継ぎ目部分がやや落ち込むように曲がった１本棒の形状になる。図２は２個の開放保持対象体のパネルよりなる屏風をほぼ直角に開き、本考案の支持棒によって屏風がその開放状態を保持していることを示す平面図、正面図および背面図である。本例では支持棒の２片の棒は背面側で丁番によって結合されており支持棒は正面からみると継ぎ目部分がやや落ち込むように曲がった１本棒の形状になっている。屏風を閉じる場合は丁番の軸部が谷になるように継ぎ目部分を手前に引いてロックを解除し２枚のパネルを閉じる。パネルの閉じる動きに追従して支持棒の継ぎ目部分は前にせり出すように折れ曲がっていく。
【実施例２】
【０００９】図３は２個の開放保持対象体であるパネルよりなる立て看板についてパネルをほぼ３０度に開脚し、本考案の支持棒によって立て看板がその開放状態を保持していることを示す正面図、底面図とパネルが閉じる途中状態の正面図である。
本例では支持棒の２片の棒は底面側に丁番によって結合されているので支持棒は丁番のない面である上面側に軽く反った１本棒の形状で安定している。立て看板を閉じる場合は丁番の軸部が谷になるように継ぎ目部分を下から上方に押し上げてロックをはずしてパネルを閉じる。
【産業上の利用可能性】
【００１１】ドア、屏風、立て看板等の自由に開閉する物品について一時的に一定の開放角度を設定して容易に開放状態の保持と解除ができ開放保持装置に段差があると使用が困難な用途に利用できる。
【符号の説明】
【００１２】１    ２片の棒
２    ネジ、ブス用の貫通穴およびビス
３    丁番
４    屏風横桟
５    立て看板縦枠
６    支持棒
７    支持棒の継ぎ目
【図１】
0003162567.tif 000003
【図２】
0003162567.tif 000004
【図３】
0003162567.tif 000005